(57)【要約】【課題】  徘徊者の軌跡を表示する際に、捜索すべき徘徊者を明確にしつつ、徘徊者の軌跡を見易くすることを目的とする。【解決手段】  病院内の所定の位置に配置した複数の受信機１〜ＮによりＩＣタグ１０の現在位置を受信し、現在位置を受信した受信機１〜Ｎの位置情報によりＩＣタグ１０の移動の軌跡を取得する。このとき、同じ受信機でＩＣタグ１０の現在位置を再び受信した場合には、制御部１２は、再び受信したところまでの軌跡を除いて移動の軌跡を表示部１５に表示するようにしている。これにより、徘徊者が同じ場所を通ったときには、それまでの移動の軌跡が表示されないので、簡潔な表示を行うことができる。従って、医療従事者は表示画面が見易くなる。【選択図】        図１
2008059174.tif 000002
【特許請求の範囲】
【請求項１】
徘徊者により携帯され、個別の識別情報を持つＩＣタグと、
施設内の所定の位置に配置され、前記ＩＣタグの接近により前記ＩＣタグの識別情報を読み取り、個別の識別情報を持つ複数の受信機と、
前記ＩＣタグの識別情報と前記ＩＣタグの識別情報を受信した受信機の識別情報とを入力するインターフェースと、前記ＩＣタグの識別情報に関連付けて徘徊者の識別情報を記憶するとともに前記受信機の識別情報に関連付けて前記受信機の位置情報を記憶する記憶部と、前記徘徊者の移動の軌跡を表示する表示部と、前記インターフェース部に入力した前記ＩＣタグの識別情報により徘徊者を特定し、前記インターフェース部に入力した前記受信機の位置情報により前記徘徊者の現在位置を特定して、現在位置の移動の軌跡を前記表示部に表示させる制御部とを有する管理装置と、
を備えた徘徊者位置表示システムであって、
同じ受信機で前記ＩＣタグの識別情報を再び受信した場合には、前記制御部は、再び受信したところまでの軌跡を除いて移動の軌跡を表示させることを特徴とする徘徊者位置表示システム。
【請求項２】
徘徊者の居室近傍に設置されている受信機のみを前記同じ受信機とすることを特徴とする請求項１に記載の徘徊者位置表示システム。
【請求項３】
徘徊者により携帯され、個別の識別情報を持つＩＣタグと、
施設内の所定の位置に配置され、前記ＩＣタグの接近により前記ＩＣタグの識別情報を読み取り、個別の識別情報を持つ複数の受信機と、
前記ＩＣタグの識別情報と前記ＩＣタグの識別情報を受信した受信機の識別情報とを入力するインターフェースと、前記ＩＣタグの識別情報に関連付けて徘徊者の識別情報を記憶するとともに前記受信機の識別情報に関連付けて前記受信機の位置情報を記憶する記憶部と、前記徘徊者の移動の軌跡を表示する表示部と、前記インターフェース部に入力した前記ＩＣタグの識別情報により徘徊者を特定し、前記インターフェース部に入力した前記受信機の位置情報により前記徘徊者の現在位置を特定して、現在位置の移動の軌跡を前記表示部に表示させる制御部とを有する管理装置と、
を備えた徘徊者位置表示システムであって、
前記管理装置は、現在時刻を計測する計時部を備え、前記制御部は、前記計時部により計測した現在時刻情報により前記現在位置を特定し、前記現在時刻の所定時間前までの移動の軌跡のみを表示させることを特徴とする徘徊者位置表示システム。
【発明の詳細な説明】
【技術分野】
【０００１】
本発明は、病院などで徘徊者の位置を表示する徘徊者位置表示システムに関する。
【背景技術】
【０００２】
従来、病院や介護施設などで、患者や被介護者（以下、単に患者と記載する）は特定の居室に居るが、稀に病室を離れて徘徊してしまうことがあった。これに対して、看護師や介護者（以下、単に医療従事者と記載する）は、徘徊者に危険が生じないように徘徊者を探す必要があった。
【０００３】
ところで、患者にＲＦＩＤ（Radio Frequency
IDentification）タグを持たせ、ＲＦＩＤタグが発信するタグＩＤを特定の区域で受信する無線受信機により受信した場合に、患者が監視エリアに近付いたとして警報を通知する技術が知られている（例えば、特許文献１など）。
【特許文献１】特開２００５−２１５９６１号公報
【０００４】
また、利用者が所持する移動端末の現在位置および移動の軌跡を地図データ上に合成してディスプレイ上に表示する技術が知られている（例えば、特許文献２など）。
【特許文献２】特開平８−２４８１１５号公報
【０００５】
しかしながら、前述した特許文献２に記載の技術では、病院等の建物内で軌跡を表示するような場合に、徘徊者が同じ場所を何度も通ったときでも全ての軌跡を表示してしまうので、医療従事者にとって表示画面が見難くなってしまうという問題があった。また、徘徊者が自分の居室に戻ったときでも軌跡を表示してしまうので、捜索すべき徘徊者であるか否かの判断を医療従事者がし難くなってしまうという問題があった。
【発明の開示】
【発明が解決しようとする課題】
【０００６】
本発明は、このような問題を解決するために成されたものであり、徘徊者の軌跡を表示する際に、捜索すべき徘徊者を明確にしつつ、徘徊者の軌跡を見易くすることを目的とする。
【課題を解決するための手段】
【０００７】
上述した課題を解決するために、本発明では、所定の位置に配置した複数の受信機によりＩＣタグの現在位置を受信し、現在位置を受信した受信機の位置情報により徘徊者（ＩＣタグ）の移動の軌跡を取得する。このとき、同じ受信機でＩＣタグの現在位置を再び受信した場合には、再び受信したところまでの軌跡を除いて表示するようにしている。
【０００８】
また、本発明の他の態様によれば、同じ受信機が徘徊者の居室近傍に設置されているものとするようにしている。
【０００９】
また、本発明の他の態様によれば、所定の位置に配置した複数の受信機によりＩＣタグの現在位置を受信し、受信した時間情報と各受信機の位置情報とにより徘徊者（ＩＣタグ）の移動の軌跡を取得する。このとき、所定時間前から現在時刻までの移動の軌跡のみを表示するようにしている。
【発明の効果】
【００１０】
上記のように構成した本発明によれば、徘徊者が同じ場所を通ったときには、それまでの移動の軌跡が表示されないので、簡潔な表示を行うことができる。従って、医療従事者は表示画面が見易くなる。また、本発明の他の態様によれば、徘徊者が自分の居室に戻ったときには、それまでの軌跡が表示されないので、簡潔な表示を行うことができるとともに病室に戻った徘徊者については移動の軌跡が表示されなくなる。従って、医療従事者は表示画面が見易くなるとともに、捜索すべき徘徊者であるか否かの判断をし易くなる。また、本発明の他の態様によれば、所定時間内の移動の軌跡のみが表示されるので、簡潔な表示を行うことができる。従って、医療従事者は表示画面が見易くなる。
【発明を実施するための最良の形態】
【００１１】
以下、本発明の一実施形態を図面に基づいて説明する。図１は、本実施形態による徘徊者位置表示システムの構成例を示すブロック図である。図１に示すように、本実施形態による徘徊者位置表示システムは、第１の受信機、第２の受信機、第３の受信機、…、第Ｎの受信機（Ｎは１以上の自然数である）のＮ個の受信機、ＩＣタグ１０、管理装置１１を備えて構成されている。また、管理装置１１は、制御部１２、インターフェース１３、記憶部１４、表示部１５を備えて構成されている。
【００１２】
図１において、Ｎ個の受信機１〜Ｎは、病院内の所定の位置（例えば、各病室の出入口近傍など）に設置されており、伝送線を介して管理装置１１に接続されている。本実施形態では、図２に示すように、第１の受信機１は１号室の出入口近傍に設置されている。また、第２の受信機２は２号室の出入口近傍に設置されている。また、第３の受信機３は３号室の出入口近傍に設置されている。また、図１において図示されていない第４の受信機４は４号室の出入口近傍に設置されている。また、図１において図示されていない第５の受信機５は５号室の出入口近傍に設置されている。
【００１３】
また、Ｎ個の受信機１〜Ｎは、ＩＣタグが接近することによりＩＣタグの識別情報を受信して、ＩＣタグの識別情報とともに受信機の識別情報を管理装置１１に送信する。
【００１４】
ＩＣタグ１０は、非接触式のＲＦＩＤタグなどにより構成されており、患者によって携帯される。ＩＣタグ１０には、患者毎に異なる個別の識別情報が記憶されており、接近した受信機により読み取られる。
【００１５】
管理装置１１は、徘徊者の管理を行う機器であり、医療従事者が常駐しているナースセンターなどに設置される。制御部１２は、管理装置１１の各構成要素を制御する。インターフェース１３は、Ｎ個の受信機１〜Ｎが受信したＩＣタグの識別情報および受信機の識別情報を受信する。記憶部１４は、ＩＣタグの識別情報と患者の識別情報（例えば、患者の氏名など）とを関連付けて記憶する。また、記憶部１４は、受信機の識別情報と位置情報とを関連付けて記憶する。また、記憶部１４は、病院内のレイアウトを記憶する。
【００１６】
表示部１５は、記憶部１４に記憶されたレイアウト上に徘徊者の移動の軌跡を重ねた画面を表示する。
【００１７】
次に、具体的な徘徊者の移動の軌跡の表示例を説明する。第１の受信機１〜第５の受信機５が図２のように配置された場合に、Ａさんが自分の病室である２号室から出て、１号室方面に向かった後、２号室方面、３号室方面に徘徊したとする。Ａさんが所持するＩＣタグ１０の識別情報は、第２の受信機２にて読み取られ、その後、第１の受信機１、第２の受信機２、第３の受信機３で読み取られる。制御部１２は、ＩＣタグ１０の識別情報に関連付けられた患者の識別情報を記憶部１４より読み出し、徘徊者がＡさんであることを特定する。
【００１８】
また、制御部１２は、Ａさんの移動の軌跡が２号室→１号室→２号室→３号室であることから、２号室近傍に配置された第２の受信機２が二度目にＩＣタグ１０の識別情報を受信したところまでの軌跡を除いて、２号室から３号室に向かう軌跡を病院のレイアウト画面に重ねて図３に示すような表示画面を表示部１５に表示する。
【００１９】
なお、本実施形態では、同じ受信機が再びＩＣタグ１０の識別情報を受信した場合に、そこまでの軌跡を除いて表示するようにしているが、これに限定されない。例えば、患者の居室の近傍に配置された受信機が再びＩＣタグ１０の識別情報を受信した場合に、そこまでの軌跡を除いて表示するようにしても良い。このとき、徘徊者が自分の居室に戻った場合には、移動の軌跡が表示されないことになる。
【００２０】
以上詳しく説明したように、本実施形態によれば、病院内の所定の位置に配置した複数の受信機１〜ＮによりＩＣタグ１０の現在位置を受信し、現在位置を受信した受信機１〜Ｎの位置情報によりＩＣタグ１０の移動の軌跡を取得する。このとき、同じ受信機でＩＣタグ１０の現在位置を再び受信した場合には、制御部１２は、再び受信したところまでの軌跡を除いて移動の軌跡を表示部１５に表示するようにしている。これにより、徘徊者が同じ場所を通ったときには、それまでの移動の軌跡が表示されないので、簡潔な表示を行うことができる。従って、医療従事者は表示画面が見易くなる。
【００２１】
なお、前述した実施形態では、同じ受信機でＩＣタグ１０の現在位置を再び受信した場合に、再び受信したところまでの軌跡を除いて表示するようにしているが、これに限定されない。例えば、所定時間（例えば１０分など）前から現在時刻までの軌跡のみを表示するようにしても良い。
【００２２】
具体的には、図４に示すように、管理装置１１に現在時刻を計測する計時部１６を設ける。制御部１２は、複数の受信機１〜Ｎが受信したＩＣタグ１０の現在位置のうち、現在時刻から所定時間前までのもののみを選択して表示部１５に表示する。例えば、Ａさんが２号室→１号室→２号室→３号室と移動し、現在時刻から所定時間である１０分前までの時間に該当する移動の軌跡が２号室→３号室である場合には、図５に示すように、制御部１２は、２号室から３号室に向かう軌跡のみを表示部１５に表示する。
【００２３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２４】
本発明は、病院や介護施設などで患者や被介護者が徘徊した場合に、その捜索を行うための表示装置に有用である。
【図面の簡単な説明】
【００２５】
【図１】本実施形態による徘徊者位置表示システムの構成例を示すブロック図である。
【図２】本実施形態による徘徊者位置表示システムの配置例を示す図である。
【図３】本実施形態の徘徊者位置表示システムによる表示画面の例を示す図である。
【図４】本実施形態による徘徊者位置表示システムの変形例を示すブロック図である。
【図５】本実施形態の徘徊者位置表示システムの変形例による表示画面の例を示す図である。
【符号の説明】
【００２６】
１    第１の受信機
２    第２の受信機
３    第３の受信機
４    第４の受信機
Ｎ    第Ｎの受信機
５    第５の受信機
１０    ＩＣタグ
１１    管理装置
１２    制御部
１３    インターフェース
１４    記憶部
１５    表示部
１６    計時部
【図１】
2008059174.tif 000003
【図２】
2008059174.tif 000004
【図３】
2008059174.tif 000005
【図４】
2008059174.tif 000006
【図５】
2008059174.tif 000007